(57)【特許請求の範囲】
【請求項１】
明暗センサが暗状態を検出すると照明を点灯させる電波修正時計において、
前記明暗センサが明状態を検出しているときの受信回数と暗状態を検出しているときの受信回数とをそれぞれ変えて設定すると共に前記明暗センサが明状態を検出しているときよりも暗状態を検出しているときの方が受信回数を減らして設定する受信制御手段と、
前記明暗センサが暗状態を検出しているときに受信時刻になると、前記照明を消灯させる点灯制御手段と、
を有することを特徴とする照明機能付電波修正時計。
【請求項２】
明暗センサが暗状態を検出すると照明を点灯させる電波修正時計において、
複数の受信時刻を設定し、前記明暗センサが暗状態を検出している間に、前回受信している場合には以降の受信時刻における受信動作を行わない受信制御手段と、
前記明暗センサが暗状態を検出しているときに受信時刻になると、前記照明を消灯させる点灯制御手段と、
を有することを特徴とする照明機能付電波修正時計。
【請求項３】
表示部を有し、前記照明が点灯すると前記表示部が照明され、明状態と暗状態において表示内容が切り換わることを特徴とする請求項１又は２記載の照明機能付電波修正時計。
【発明の詳細な説明】
【０００１】
【発明の属する技術分野】
本発明は、時刻信号を含む標準電波（時刻標準電波信号）を受信し、その時刻信号に基づいて時刻をセットする電波修正時計に関するものであり、特に、照明機能を有するものに関する。
【０００２】
【従来の技術】
電波修正時計は、予め設定された時刻に自動受信を行って電波を受信し、受信した電波信号に含まれている時刻信号に基づいて時刻を修正して常に正確な時刻表示をするものとなっている。
【０００３】
通常、電波の受信は１日に複数回、決められた時刻に自動的に行われる。一般に、昼間に比べてノイズが少ない夜間の方が受信状態が良い場合が多い。
【０００４】
【発明が解決しようとする課題】
上記のような電波修正時計においても、暗所での時刻の判読が可能なように照明を設け、時刻表示部を照明する照明機能付のものがある。このような照明機能付電波修正時計においては、ＣｄＳセンサにて明暗を検出し、その検出結果に応じて照明を点灯又は消灯させるものとなっている。この照明にはＬＥＤ等が使用されており、消費電力を少なくするため、目で判別できない程度にパルス信号で点灯・消灯が繰り返されるように駆動されている。
【０００５】
このような照明が設けられていると、その点灯・消灯時にノイズが発生し、このノイズにより電波の受信ができなくなることがあった。特に、夜間は昼間に比べて受信状態が良い場合が多く、夜間に受信不能となると、設置場所によっては一日中受信できなくなることもあった。
【０００６】
一方、照明を設けないか又は照明を消灯させれば、受信状態を良くすることはできるが、暗所での時刻の読み取りに支障をきたすことになる。
【０００７】
本発明は、上記従来技術の課題に鑑みなされたもので、暗所における時刻の判読に支障をきたすことなく、確実に受信することを可能とした照明機能付電波修正時計を提供するものである。
【０００８】
【課題を解決するための手段】
本発明の照明機能付電波修正時計は、明暗センサが暗状態を検出すると照明を点灯させる電波修正時計において、前記明暗センサが明状態を検出しているときの受信回数と暗状態を検出しているときの受信回数とをそれぞれ変えて設定すると共に前記明暗センサが明状態を検出しているときよりも暗状態を検出しているときの方が受信回数を減らして設定する受信制御手段と、前記明暗センサが暗状態を検出しているときに受信時刻になると、前記照明を消灯させる点灯制御手段と、を有している。
【０００９】
また、本発明の照明機能付電波修正時計は、明暗センサが暗状態を検出すると照明を点灯させる電波修正時計において、複数の受信時刻を設定し、前記明暗センサが暗状態を検出している間に、前回受信している場合には以降の受信時刻における受信動作を行わない受信制御手段と、前記明暗センサが暗状態を検出しているときに受信時刻になると、前記照明を消灯させる点灯制御手段と、を有している。
【００１０】
更に、上記照明機能付電波修正時計は、表示部を有し、前記照明が点灯すると前記表示部が照明され、明状態と暗状態において表示内容が切り換わるものとなっている。
【００１１】
【発明の実施の形態】
本発明の照明機能付電波修正時計における受信制御手段は、明状態と暗状態における受信時刻と受信回数をそれぞれ設定している。即ち、明状態（主に昼間）においては、ノイズが多いため、受信時刻を多く設定して受信する機会を増やし、暗状態（主に夜間）においては、受信状態が良くなるため、受信時刻の数を減らして設定する。また、照明の点灯状態を制御する点灯制御手段は、暗状態において電波を受信する時刻になると照明を消灯させて、ノイズの発生を防ぎ、確実に受信可能な状態にしている。
【００１２】
上記のように、受信中、照明を消灯させても、暗状態における受信回数を最小限に抑えることで、照明が消えて時刻が読み取れなくなる確立が減り、消灯させることによる影響を最小限にすることができる。
【００１３】
また、暗状態における受信は、設定されている受信時刻の数が少ないだけでなく、受信できた時点で次の時刻における受信動作を行わないものとなっている。従って、暗状態における最初の受信時に電波の受信が完了した場合には、それ以降の暗状態における受信動作が行われないため、照明も消えず、時刻の読み取りに影響を与えることがない。
【００１４】
【実施例】
以下、図面に基いて本発明の実施例を説明する。図１は本発明の一実施例に係る照明機能付電波修正時計の要部の機能構成図であり、図２はその概略回路構成を示す回路図である。
【００１５】
はじめに、図２に基づいて照明機能付電波修正時計の回路構成を説明する。図２に示すように、本実施例における照明機能付電波修正時計は、マイクロコンピュータからなる制御回路２を中心として受信部、指針駆動及び修正部、照明部等の各回路や機構が設けられており、制御回路２に設定された機能と、各回路等の機能が互いに作用することにより表示部を照明したり、電波信号を自動受信し、指針位置を検出して修正を行うものである。即ち、電波を受信する受信部としては、アンテナ４にて受信した電波信号を電気信号に変換する受信回路６と、その電気信号を後述するタイマー回路からの３２Ｈｚ信号でサンプリングして時刻情報を読み取りコード信号に変換して制御回路２に供給するデコード回路８と、受信時間をカウントして一定時間内にデコード回路８にて一連の時刻情報を読み取ることができないと自動受信を中止させるタイマー回路１０と、時刻をカウントし自動受信を行う時刻等を出力する時刻カウンタ１２が設けられている。
【００１６】
また、指針駆動及び修正部としては、時刻のマニュアル修正用の時分修正ボタン１４及び強制受信用の受信ボタン１６と、モータ駆動回路１８と、ムーブメント２０内に設けられ秒針用の輪列を駆動する秒針用モータ２２と、時及び分針用の輪列を駆動する時・分針用モータ２４と、輪列の状態から指針位置を検出するためのフォトセンサ２６が設けられている。
【００１７】
また、照明部としては、照明駆動回路２８と、この照明駆動回路２８からのパルス信号により順次断続的に駆動される複数のＬＥＤ及びその駆動用トランジスタ等からなる照明装置３０が設けられている。暗状態においては、この照明装置３０により、指針による時刻表示部又は表示内容が切り換わるデジタル式の表示部を照明して時刻を判読できるようにしている。
【００１８】
この他、ＣｄＳ３２及びその駆動用トランジスタ３４等からなる明暗検出用の明暗センサ３６と、ＬＥＤ及びその駆動用トランジスタ等からなる受信状態表示装置３８が設けられている。この受信状態表示装置３８は、制御回路２からの信号により、電波の受信が正常に行われた場合に、２秒に１回点滅し、電波受信できなかった場合又はボタン修正がある場合においては消灯するものとなっている。
【００１９】
次に、図１に基づいて上記回路構成からなる照明機能付電波修正時計の要部の機能構成を説明する。４０は基準信号発生手段であり、制御回路２に接続される発振器４２と、制御回路２の一機能等からなり発振器４２からの信号を分周して基準信号としての所定周波数のパルス信号を供給するパルス発生手段４４とから構成されている。
【００２０】
４６は受信手段であり、受信回路６、デコード回路８及び制御回路２の一機能を含むものである。この受信手段４６が機能することにより電波信号を受信して時刻情報を読み込むことになる。
【００２１】
４８は点灯制御手段であり、制御回路２の一機能からなり、明暗センサ３６の検出結果に基づいて照明装置３０を点灯又は消灯させるものである。また、本実施例においては、受信動作中においても照明装置３０を消灯させてノイズの発生を防ぐものとなっている。
【００２２】
５０は受信制御手段であり、タイマー回路１０、時刻カウンタ１２及び制御回路２の一機能を含むものである。この受信制御手段５０は、明暗センサ３６の検出結果に応じてそれぞれ動作する第１受信制御手段５２と第２受信制御手段５４を有している。第１受信制御手段５２は、明暗センサ３６が明状態を検出しているときに予め設定された複数の時刻（本実施例では１２，１，２，３，４，８時）にそれぞれ受信手段４６に自動受信を行わせるものである。また、第２受信制御手段５４は、明暗センサ３６が暗状態を検出しているときに予め設定された時刻（２，３，４時）に受信手段４６に自動受信動作を行わせると共に点灯制御手段４８に照明装置３０を消灯させ、受信が完了した時点で設定されている以降の時刻における自動受信を行わず、暗状態における受信を終了させるものである。
【００２３】
５６は秒針を駆動する秒針駆動手段、５８は時針及び分針を駆動する時分針駆動手段であり、それぞれモータ駆動回路１８、秒針用モータ２２、時・分針用モータ２４、後に詳述する輪列及び制御回路２の一機能を含んでいる。秒針駆動手段５６は、秒針を駆動するための第１の駆動パルスの出力、停止や修正時の修正パルスの供給を制御する駆動パルス制御手段６０と、この駆動パルス制御手段６０からの第１の駆動パルスにより作動して秒針を駆動する秒針駆動機構部６２を有している。また、時分針駆動手段５８は、時針及び分針を駆動するための第２の駆動パルスの出力や修正時の修正パルスの供給を制御する駆動パルス制御手段６４と、この駆動パルス制御手段６４からの第２の駆動パルスにより作動して時針及び分針を駆動する時分針駆動機構部６６を有している。
【００２４】
上記秒針駆動機構部６２と時分針駆動機構部６６は、特開２０００−１６２３３５号公報に示されているものと同様に次のように構成されている。秒針駆動機構部６２は、図３に示すように、第１の駆動源としての第１ステッピングモータ６８と、そのロータピニオン６８ａに大径歯車７０ａが噛合した第１の５番車７０と、この第１の５番車７０の小径歯車７０ｂに噛合した秒針車７２とにより構成されている。また、時分針駆動機構部６６は、図３に示すように、第２の駆動源としての第２ステッピングモータ７４と、そのロータピニオン７４ａに大径歯車７６ａが噛合した第２の５番車７６と、この第２の５番車７６の小径歯車７６ｂに大径歯車７８ａが噛合した３番車７８と、この３番車７８の小径歯車７８ｂに大径歯車８０ａが噛合した分針車８０と、この分針車８０の小径歯車８０ｂに大径歯車８２ａが噛合した日の裏車８２と、この日の裏車８２の小径歯車８２ｂに噛合した時針車８４とにより構成されている。
【００２５】
フォトセンサ２６は上述した構成からなる秒針駆動機構部６２と時分針駆動機構部６６における歯車の動作から指針位置を示すパターンからなる検出信号を出力するものである。このフォトセンサ２６は、図３に示すように、上ケース３等に取り付けられた発光素子２６ａと、この発光素子２６ａに対向するように、下ケース１等に取り付けられた受光素子２６ｂとを有している。また、このフォトセンサ２６は、図３に示すように、第１の５番車７０、秒針車７２、３番車７８、分針車８０、時針車８４の全てが同時に重なる位置に配置されている。そして、第１の５番車７０の透孔７０ｃ、３番車７８の透孔７８ｃ、秒針車７２の透孔７２ｃ、分針車８０の透孔８０ｃ、時針車８４の透孔８４ｃが重なり合ったときに、発光素子２６ａから発せられた検出光が受光素子２６ｂにより受光され、各歯車の回転による透孔の移動で検出光が遮られることが繰り返されて、受光の有無による所定パターンの検出信号を出力する。
【００２６】
また、図１において、８６は修正制御手段であり、制御回路２の機能からなるものである。この修正制御手段８６は、上述したフォトセンサ２６からの検出信号が予め設定された時刻を示すときのパターンと一致するか否かを判断し、電波を受信することにより受信手段４６が得た時刻情報に基づく現在時刻と指針が設定時刻に達したときの時刻とを比較してその差を算出し、算出した差に基いて修正用の駆動パルスの出力を駆動パルス制御手段６０，６４に指示するものである。
【００２７】
９０は時刻等を計時する計時手段であり、時刻カウンタ１２と制御回路２の一機能を含むものである。この計時手段９０は、受信した時刻情報に基づいて常時正しい時刻に更新されている。
【００２８】
９２は指針による時刻表示部の他に設けられたデジタル表示部等の表示部である。この表示部９２は、計時手段９０から送られる時刻、日付、曜日等のカレンダ情報を表示するものである。
【００２９】
９４は表示部９２の表示内容を切り換える表示切換手段であり、制御回路２の一機能で構成されている。この表示切換手段９４は、点灯制御手段４８が照明装置３０を点灯又は消灯させるときに、表示部９２の表示内容を切り換えるものである。
【００３０】
次に、上記機能構成からなる照明機能付電波修正時計の動作を図４及び図５に示すフローチャートに基づいて説明する。はじめに、電池交換等により電源を投入すると（ステップＳＴ１）、マイクロコンピュータが初期設定を行い（ステップＳＴ２）、電源投入による強制受信動作を受信手段４６が行う（ステップＳＴ３）。
【００３１】
ここで、修正制御手段８６等が時分修正ボタン１４（図２）が操作されたか判断し（ステップＳＴ４）、操作されていない場合には受信制御手段５０が受信時間を計測して一定時間内に受信できたか判断し（ステップＳＴ５）、時間内である場合には修正制御手段８６がフォトセンサ２６からの信号により指針位置を検出し（ステップＳＴ７）、強制受信した電波信号による時刻情報に基づいて時分針駆動手段５８を早送り修正する（ステップＳＴ８）。一方、時分修正ボタン１４が操作されるか又は一定時間内に受信完了しない場合には、修正制御手段８６により指針位置だけが検出され（ステップＳＴ６）、使用者が時分修正ボタン１４を操作することにより時分針駆動手段５８を作動させてマニュアル操作による修正が行われる。その後、受信できたか否かにより受信状態がセットされて受信状態表示装置３８（図２）が点灯又は非点灯される（ステップＳＴ９）。
【００３２】
上記のような初期状態における時刻修正が行われた後、通常の時計動作が始まることになる。即ち、計時手段９０にて計時が行われ、１秒目であるか判断することで１分毎に時刻カウンタ１２を加算し（ステップＳＴ１０，ＳＴ１１）、秒針駆動手段５６は１秒毎に秒針を駆動し、時分針駆動手段５８は１０秒毎に時・分針を駆動する通常運針動作を始める（ステップＳＴ１２）。
【００３３】
その後、一定時間毎（例えば１秒毎）に時分修正ボタン１４が操作されたか判断し（ステップＳＴ１３）、操作されていない場合には、明暗センサ３６の検出状態が判断される（ステップＳＴ１４）。
【００３４】
ここで、明暗センサ３６が明状態（オン状態）であることが検出されると、照明装置３０が点灯している場合には点灯制御手段４８により消灯され（ステップＳＴ１６）、表示切換手段９４が表示部９２の表示を時刻表示からカレンダ表示に切り換える（ステップＳＴ１７）。そして、第１受信制御手段５２にて予め設定された時刻１２，１，２，３，４，８時の何れか判断し（ステップＳＴ１８）、何れの時刻でもない場合にはステップＳＴ１０に戻って通常の動作を行い、設定された何れかの時刻である場合には受信手段４６に自動受信を行わせる（ステップＳＴ１９）。ここで、時分修正ボタン１４が操作されたか判断し（ステップＳＴ２０）、操作されていなければ受信時間が設定時間内であるか判断される（ステップＳＴ２１）。そして、受信が設定時間内に行われていると、修正制御手段８６により時刻修正が行われる（ステップＳＴ２２）。この修正制御手段８６による時刻修正は、前述したように、指針が示す時刻と受信した時刻との差に応じて駆動パルス制御手段６０，６４からパルスを出力させて、時刻修正を行う。また、時分修正ボタン１４が操作された場合には、その操作に応じて時刻を修正するボタン修正動作が行われる（ステップＳＴ２３）。そして、受信状態がセットされ、受信したか否かを表示する（ステップＳＴ２４）。その後は、再び通常の時計動作を行うことになる。
【００３５】
また、ステップＳＴ１４にて、明暗センサ３６が暗状態（オフ状態）であることを検出すると、照明装置３０が消灯している場合にはそれが点灯され（ステップＳＴ２５）、表示部９２の表示をカレンダ表示から時刻表示に切り換える（ステップＳＴ２６）。そして、第２受信制御手段５４にて予め設定された時刻の２時であるか判断し（ステップＳＴ２７）、２時である場合には、受信を妨害するノイズを発生させないために照明装置３０を消灯させる（ステップＳＴ２８）。その後は、前述した明状態における受信・修正動作と同様に、受信手段４６が自動受信を行い、時分修正ボタン１４の操作と受信時間を判断しつつ修正制御手段８６が時刻修正を行い、受信状態がセットされる（ステップＳＴ１９〜ＳＴ２４）。そして、再び通常の時計動作がステップＳＴ１０から行われ、明暗センサ３６が暗状態を検出している場合には、ステップＳＴ１４にてそれが判断され、ステップＳＴ２５にて再び照明装置３０が点灯されることになる。
【００３６】
また、上記のような暗状態における最初の自動受信による時刻修正が正常に行われると、その時刻（２時）以降の時刻（３，４時）では、第２受信制御手段５４にて２時でないことが判断され（ステップＳＴ２７）、次に前回受信できたか判断される（ステップＳＴ２９）。ここで、上記のように２時に受信が正常に行われている場合には、照明を消灯したり、自動受信及び時刻修正を行うことなく、通常の時計動作に戻ることになる。
【００３７】
一方、前述したような暗状態における２時の受信が一定の時間内に受信できずタイムオーバーとなっていたような場合には、受信手段４６及び修正制御手段８６は受信が完了していないため時刻修正をおこなっていない（ステップＳＴ２１，ＳＴ２４）。この場合、第２受信制御手段５４に設定されている次の時刻（３時）になると、前回（２時）の受信が判断されたときに（ステップＳＴ２９）、受信できていないため次の時刻（３時又は４時）であるか第２受信制御手段５４にて判断される。そして、３時であると判断すると、前述した２時における受信時間と同様に、照明装置３０が消灯され（ステップＳＴ２８）、受信手段４６による自動受信を始め（ステップＳＴ１９）、時分修正ボタン１４の操作や受信時間を判断しつつ（ステップＳＴ２０，ＳＴ２１）、受信が完了すると修正制御手段８６により時刻を修正する（ステップＳＴ２２）。そして、受信できたか否かについて受信状態をセットし（ステップＳＴ２４）、通常の時計動作に戻り、再び照明装置３０が点灯される（ステップＳＴ２５）。
【００３８】
上記のような前回の受信ができなかった場合における再度の自動受信は、第２受信制御手段５４に設定されている時刻（２時以降は３時と４時のみ）に限って行われる。従って、本実施例においては、暗状態における自動受信は、最少で１回（２時）行われ、最多で３回（２，３，４時）行われる。このため、自動受信する際に照明装置３０を消灯させる回数も自動受信の数と同一であるため、極めて少なく、消灯することによる影響を最小限にすることができるものとなっている。
【００３９】
尚、明暗センサ３６の検出結果による判断が受信制御手段５０で行われる前に、時分修正ボタン１４を操作すると（ステップＳＴ１３）、照明装置３０の消灯、点灯、表示部９２の切換、時刻の判断等が行われずに、受信していないことだけがセットされ（ステップＳＴ２４）、通常の時計動作へ戻ることになる。
【００４０】
【発明の効果】
本発明によれば、受信中、照明を消灯させているので、ノイズの発生を防ぐことができ、確実に電波を受信することができる。
【００４１】
また、暗状態における自動受信を行う回数を明状態における自動受信の回数よりも減らすと共に、前回受信できた場合にはそれ以降の暗状態における自動受信を行わないようにしているので、暗状態における受信回数を最小限に抑えることができる。これにより、照明が消える回数も少なくなり、照明が消えて時刻が読み取れなくなる確率が減って、消灯させることにより影響を最小限にすることができる。
【図面の簡単な説明】
【図１】本発明の一実施例に係る照明機能付電波修正時計の要部の機能構成を示す機能説明図である。
【図２】図１に示す照明機能付電波修正時計の概略回路構成を示す回路図である。
【図３】図１及び図２に示す指針駆動機構の構成を示す断面図である。
【図４】図１に示す照明機能付電波修正時計の動作を示すフローチャートである。
【図５】図１に示す照明機能付電波修正時計の動作を示すフローチャートである。
【符号の説明】
２              制御回路
６              受信回路
８              デコード回路
１０            タイマー回路
１２            時刻カウンタ
１４            時分修正ボタン
１８            モータ駆動回路
２２            秒針用モータ
２４            時分針用モータ
２６            フォトセンサ
２８            照明駆動回路
３０            照明装置
３６            明暗センサ
３８            受信状態表示装置
４０            基準信号発生手段
４６            受信手段
４８            点灯制御手段
５０            受信制御手段
５６            秒針駆動手段
５８            時分針駆動手段
８６            修正制御手段
９０            計時手段
９２            表示部
９４            表示切換手段
【図１】
0003652982.tif 000002
【図２】
0003652982.tif 000003
【図３】
0003652982.tif 000004
【図４】
0003652982.tif 000005
【図５】
0003652982.tif 000006